(57)【要約】      （修正有）【課題】簡単な構成で可撓管への着脱が容易で、可撓管と共に所望の形状に変形してその形状を維持することができ、看護師や介護者の拘束時間を短縮してその負担を大幅に軽減でき、低コスト性、省スペース性、設置自在性、形状自在性、固定安定性、汎用性、省力性、有用性、利便性に優れた医療機器用可撓管保持具を提供する。【解決手段】可撓性及び形状保持性を有し可撓管に沿って配設される形状保持部材と、形状保持部材と可撓管を着脱自在に固定する固定部材と、を備えている。【選択図】図１
0003161849.tif 000002
【実用新案登録請求の範囲】
【請求項１】
利用者の口や気管支と接続され、気体，液滴，気液混合流体の供給又は吸引に用いられる医療機器用の可撓管に着脱自在に添設される医療機器用可撓管保持具であって、
可撓性及び形状保持性を有し前記可撓管に沿って配設される形状保持部材と、前記形状保持部材と前記可撓管を着脱自在に固定する固定部材と、を備えたことを特徴とする医療機器用可撓管保持具。
【請求項２】
前記形状保持部材が、フレキシブルチューブで形成されたことを特徴とする請求項１に記載の医療機器用可撓管保持具。
【請求項３】
前記固定部材が、前記形状保持部材及び前記可撓管を束ねるように巻回されて又は前記形状保持部材及び前記可撓管を挟持して固定されることを特徴とする請求項１又は２に記載の医療機器用可撓管保持具。
【請求項４】
前記固定部材が、前記形状保持部材又は前記可撓管との接触面の少なくとも一部に形成若しくは配設された滑り防止部を備えたことを特徴とする請求項１乃至３の内いずれか１項に記載の医療機器用可撓管保持具。
【請求項５】
前記固定部材が、前記形状保持部材の長手方向に間隔を空けて複数配設されたことを特徴とする請求項１乃至４の内いずれか１項に記載の医療機器用可撓管保持具。
【請求項６】
前記固定部材の一端部が、前記形状保持部材に固定されたことを特徴とする請求項１乃至５の内いずれか１項に記載の医療機器用可撓管保持具。
【考案の詳細な説明】
【技術分野】
【０００１】
本考案は、利用者の口や気管支と接続され、気体や霧状液体（吸入器）等の供給又は吸引に用いられる医療機器用の可撓管に着脱自在に取り付けられる医療機器用可撓管保持具に関し、特に可撓管の先端部の位置、角度、向きや経路などを自在に調整して固定することができる医療機器用可撓管保持具に関するものである。
【背景技術】
【０００２】
医療機関などにおいて、利用者の口や気管支への蒸気や薬剤などの供給を行う吸入器（ネブライザ）、利用者の口や気管支からの痰などの除去を行う吸引器、或いは利用者の呼吸の補助を行う呼吸補助器などの医療機器では、一般的に蛇腹状などに形成された可撓管が用いられている。
これらの可撓管はフレキシブルで自由に変形させることが可能であるが、形状を保持することができないため、利用者（患者）が可撓管の先端部を自力で口にくわえることができない場合や手で支えることができない場合は、看護師などが付き添って可撓管を固定する必要がある。特に、医療機関における口腔内や気管への加湿は、日常的に行われる頻度の高い重要な医療的処置であるが、その間、看護師などはその場から離れることができず、吸入時間が長くなると、業務に支障が出るという問題があった。
また、可撓管を吊り下げるなどして先端部を利用者（患者）の口の位置に合わせる方法も行われているが、固定の安定性に欠けると共に、利用者（患者）が寝返りを打つなどして頭や顔の向きを変えると位置がずれて、確実な吸入や吸引などを行うことができないという問題があった。特に、蒸気を供給して加湿を行っている場合は、利用者（患者）の顔や胸元或いは枕や布団などを濡らしてしまうことがあり、利用者（患者）及び介護者の負担を増加させるという問題もあった。
例えば、（特許文献１）には、「医療用吸入器のホース又はホース先端の吹き出し口を保持する装置であり、その主管部に自立維持可能な強度を持たせたフレキシブルな蛇腹管を用い主管部先端にホース又はホース吹き出し口を保持する着脱可能なホルダーを有し、底部には本装置使用時の安定を図る厚みの薄い支持台からなる位置の調整が自在に行える保持具」が開示されている。
【先行技術文献】
【特許文献】
【０００３】
【特許文献１】特開２００３−２４４４４号公報
【考案の概要】
【考案が解決しようとする課題】
【０００４】
しかしながら上記従来の技術では、以下のような課題を有していた。
（１）（特許文献１）では、支持台を設置するスペースが必要であるため、医療用吸入器の設置場所が限定され、設置自在性、省スペース性に欠けるという課題を有していた。
（２）また、自立維持可能な強度を持たせたフレキシブルな蛇腹管でホース又はホース先端の吹き出し口を保持するだけなので、ホースを全長にわたって支持することができず、ホースの姿勢が安定せず、固定安定性に欠けるという課題を有していた。
（３）さらに、フレキシブルな蛇腹管を自立維持させてホース又はホース先端の吹き出し口を保持するためには蛇腹管の形状や支持台との位置関係に制約を受け、吹き出し口の位置を自在に調整することが困難で、支持安定性、形状自在性、汎用性に欠けるという課題を有していた。
【０００５】
本考案は上記従来の課題を解決するもので、簡単な構成で可撓管への着脱が容易で、可撓管と共に所望の形状に変形してその形状を維持することができ、可撓管の先端部の位置、角度、向きや経路などを自在に調整することが可能で、看護師や介護者が付きっきりで世話をする必要がなく、看護師や介護者の拘束時間を短縮してその負担を大幅に軽減できるだけでなく、各種医療機器の使用中に利用者が両手を自由に使用することができ、楽に治療や介護を受けることが可能で、低コスト性、省スペース性、設置自在性、形状自在性、固定安定性、汎用性、省力性、有用性、利便性に優れた医療機器用可撓管保持具の提供を目的とする。
【課題を解決するための手段】
【０００６】
上記課題を解決するために本考案の医療機器用可撓管保持具は、以下の構成を有している。
本考案の請求項１に記載の医療機器用可撓管保持具は、利用者の口や気管支と接続され、気体，液滴，気液混合流体の供給又は吸引に用いられる医療機器用の可撓管に着脱自在に添設される医療機器用可撓管保持具であって、可撓性及び形状保持性を有し前記可撓管に沿って配設される形状保持部材と、前記形状保持部材と前記可撓管を着脱自在に固定する固定部材と、を備えた構成を有している。
この構成により、以下のような作用を有する。
（１）可撓管に沿って配設される形状保持部材が可撓性及び形状保持性を有するので、可撓管と共に所望の形状に変形させて先端部の位置、角度、向きや経路などを自在に調整することができると共に、その形状を長時間にわたって保持することができ、可撓管の先端部を利用者の口元や喉などの位置に合わせて確実に固定することができ、形状自在性、固定安定性、汎用性、設置自在性に優れる。
（２）形状保持部材と可撓管を着脱自在に固定する固定部材を有するので、可撓管への着脱作業性に優れ、使用前や使用後に可撓管を簡便に取り外して洗浄や交換を行うことができ、メンテナンス性、取扱い性に優れる。
（３）形状保持部材が可撓管に沿って配設されるので、吸入器や吸引器などの医療機器の設置スペース以外にスペースを必要とせず、設置場所が限定されることがなく、コンパクトで省スペース性、設置自在性に優れる。
（４）形状保持部材と固定部材だけの簡素な構成で部品点数が少なく、量産性、低コスト性に優れ、小型、軽量で簡便に持ち運ぶことができ、取扱い性に優れる。
【０００７】
ここで、形状保持部材は、可撓性及び形状保持性を有していればよいが、金属製や合成樹脂製のフレキシブルチューブや針金のような金属製の芯材を軟質性の合成樹脂や合成ゴムで被覆したものなどが好適に用いられる。
形状保持部材は、利用者が口にくわえたり、喉に直接挿入されたりする可撓管の先端付近を除いて可撓管をほぼ全長にわたって支持するように形成することが好ましい。
固定部材は形状保持部材と可撓管を着脱自在に固定できるものであればよい。形状保持部材と可撓管を束ねるように帯状の固定部材を巻き付けて端部を面ファスナーやスナップボタンなどで留めてもよいし、形状保持部材と可撓管をクリップ状の固定部材で挟持してもよい。また、ゴム等のように伸縮性を有する固定部材で形状保持部材と可撓管を束ねてもよい。
尚、固定部材は形状保持部材と可撓管を固定するだけでなく、ベッドの側部に立設されるベッドガードや点滴スタンドなどの支柱部を一緒に固定することもできる。
【０００８】
請求項２に記載の考案は、請求項１に記載の医療機器用可撓管保持具であって、前記形状保持部材が、フレキシブルチューブで形成された構成を有している。
この構成により、請求項１の作用に加え、以下のような作用を有する。
（１）形状保持部材がフレキシブルチューブで形成されていることにより、折れ癖や曲げ癖がつき難いので、所望の形状に変形させ易く、誰でも可撓管の先端部の位置、角度、向きや経路などを容易に微調整することができると共に、長時間にわたって形状を保持することができ、形状復帰性、形状自在性、形状保持性に優れる。
（２）フレキシブルチューブで形成された形状保持部材は突起やエッジ等がなく、可撓管或いはそれを使用する利用者（患者）や看護師などを傷付けることがなく、安全性に優れる。
【０００９】
ここで、フレキシブルチューブとしては、薄肉の金属製のパイプに波形の絞り加工をしたものや金属製の薄板をコの字状態で組み合わせた構造で螺旋状に形成した螺旋管（コンジットチューブ）などが好適に用いられる。
【００１０】
請求項３に記載の考案は、請求項１又は２に記載の医療機器用可撓管保持具であって、前記固定部材が、前記形状保持部材及び前記可撓管を束ねるように巻回されて又は前記形状保持部材及び前記可撓管を挟持して固定される構成を有している。
この構成により、請求項１又は２の作用に加え、以下のような作用を有する。
（１）固定部材が、形状保持部材及び可撓管を束ねるように巻回されて固定されることにより、形状保持部材と可撓管を確実に固定することができ、固定安定性に優れる。
（２）形状保持部材及び可撓管に巻回されて固定される固定部材は、形状自在性を有しているので、ベッドガードや点滴スタンドなどの支柱部などにも一緒に巻き付けることができ、被固定物の形状に制約を受けることがなく、簡便かつ確実に固定することができ、形状自在性、汎用性に優れる。
（３）固定部材が、形状保持部材及び可撓管を挟持して固定することにより、ワンタッチで簡便に着脱することができ、着脱作業性に優れる。
【００１１】
ここで、形状保持部材及び可撓管を束ねて固定する場合、固定部材を帯状に形成し、その表裏に一対の面ファスナーを配設したものが好適に用いられる。尚、面ファスナーは固定部材の長手方向の少なくとも一部に配設されていればよい。
また、形状保持部材及び可撓管を挟持して固定する場合、固定部材を洗濯バサミのようにクリップ状に形成したものが好適に用いられる。形状保持部材と可撓管を一緒に挟持できるものであればよいが、特に、挟持部が８の字状やダルマ状にくびれた形状を有しているものを用いた場合、可撓管を潰すことがなく、固定安定性にも優れるので好ましい。
【００１２】
請求項４に記載の考案は、請求項１乃至３の内いずれか１項に記載の医療機器用可撓管保持具であって、前記固定部材が、前記形状保持部材又は前記可撓管との接触面の少なくとも一部に形成若しくは配設された滑り防止部を備えた構成を有している。
この構成により、請求項１乃至３の内いずれか１項の作用に加え、以下のような作用を有する。
（１）固定部材が、形状保持部材又は可撓管との接触面の少なくとも一部に形成若しくは配設された滑り防止部を有することにより、形状保持部材と可撓管を強固に保持することができ、固定部材が形状保持部材や可撓管の長手方向に沿って移動し難く、固定安定性、形状保持性に優れる。
【００１３】
ここで、滑り防止部としては、固定部材の接触面に直接、凹凸を形成したものでもよいし、柔軟性や弾力性を有するシリコーンなどの合成ゴムを貼着するなどして形成したものでもよい。柔軟性や弾力性を有する部材で滑り防止部を形成する場合、表面は平坦でもよいし、凹凸を形成してもよい。尚、滑り防止部が柔軟性や弾力性を有することにより、可撓管への負荷を低減し、変形や破損などを防止することができる。
【００１４】
請求項５に記載の考案は、請求項１乃至４の内いずれか１項に記載の医療機器用可撓管保持具であって、前記固定部材が、前記形状保持部材の長手方向に間隔を空けて複数配設された構成を有している。
この構成により、請求項１乃至４の内いずれか１項の作用に加え、以下のような作用を有する。
（１）固定部材が形状保持部材の長手方向に間隔を空けて複数配設されることにより、形状保持部材と可撓管の要所を固定することができ、可撓管を形状保持部材の形状に沿わせて確実に保持することができ、固定安定性、形状安定性に優れる。
（２）固定部材が、形状保持部材の長手方向に間隔を空けて複数配設されるので、一部の固定部材を利用して、形状保持部材及び可撓管の長手方向の途中をベッドの側部に立設されるベッドガードや点滴スタンドの支柱などの他の部材に固定することもでき、可撓管が長い場合でも、確実に支持することが可能で、固定安定性、設置自在性、汎用性に優れる。
【００１５】
ここで、固定部材の数や配置間隔は可撓管の長さなどに応じて適宜、選択することができる。また、形状保持部材を変形させる際の形状に応じて、固定部材の位置を移動させ、固定位置を調整することができる。特に、可撓管の根元側の１乃至複数箇所を短い間隔で固定部材によって強固に固定することにより、可撓管の根元側を自立させて可撓管の倒れを防止することができ、形状保持性に優れる。また、形状保持部材の先端部に固定部材の抜けを防止する突起などを設けた場合、固定部材が脱落して形状保持部材と可撓管との固定が外れることがなく、信頼性に優れる。
【００１６】
請求項６に記載の考案は、請求項１乃至５の内いずれか１項に記載の医療機器用可撓管保持具であって、前記固定部材の一端部が、前記形状保持部材に固定された構成を有している。
この構成により、請求項１乃至５の内いずれか１項の作用に加え、以下のような作用を有する。
（１）固定部材の一端部が形状保持部材に固定されることにより、形状保持部材と固定部材を一体に取り扱うことができ、可撓管との着脱作業が容易で取扱い性に優れる。
ここで、固定部材の一端部を形状保持部材に巻き付けて固定してもよいし、固定部材の一端部に円筒状の挿通部や円弧状の嵌合部を形成して形状保持部材を挿通又は嵌合して固定してもよい。
【考案の効果】
【００１７】
以上のように、本考案の医療機器用可撓管保持具によれば、以下のような有利な効果が得られる。
請求項１に記載の考案によれば、以下のような効果を有する。
（１）形状保持部材を可撓管と共に所望の形状に変形させて先端部の位置、角度、向きや経路などを自在に調整することができるだけでなく、その形状を長時間にわたって保持し、可撓管の先端部を利用者の口元や喉などの位置に合わせて確実に固定することができる形状自在性、固定安定性、汎用性、設置自在性に優れた医療機器用可撓管保持具を提供することができる。
【００１８】
請求項２に記載の考案によれば、請求項１の効果に加え、以下のような効果を有する。
（１）形状保持部材に折れ癖や曲げ癖がつき難く、所望の形状に容易に変形させることができ、誰でも可撓管の先端部の位置、角度、向きや経路などを微調整することが可能で、長時間にわたって形状を保持することができる形状復帰性、形状自在性、形状保持性に優れた医療機器用可撓管保持具を提供することができる。
【００１９】
請求項３に記載の考案によれば、請求項１又は２の効果に加え、以下のような効果を有する。
（１）固定部材により、形状保持部材及び可撓管を束ねたり、挟持したりして簡便かつ確実に固定することができる着脱作業性、固定安定性に優れた医療機器用可撓管保持具を提供することができる。
【００２０】
請求項４に記載の考案によれば、請求項１乃至３の内いずれか１項の効果に加え、以下のような効果を有する。
（１）固定部材に設けた滑り防止部で形状保持部材と可撓管を強固に保持することにより、固定部材が形状保持部材や可撓管の長手方向に沿って移動することを防止できる固定安定性、形状保持性に優れた医療機器用可撓管保持具を提供することができる。
【００２１】
請求項５に記載の考案によれば、請求項１乃至４の内いずれか１項の効果に加え、以下のような効果を有する。
（１）複数の固定部材で可撓管の要所を固定することにより、任意の形状に変形させた形状保持部材に沿わせて確実に可撓管を保持することができる固定安定性、形状安定性に優れた医療機器用可撓管保持具を提供することができる。
【００２２】
請求項６に記載の考案によれば、請求項１乃至５の内いずれか１項の効果に加え、以下のような効果を有する。
（１）形状保持部材と固定部材を一体に取り扱うことができ、可撓管との着脱作業が容易で、取扱い性に優れた医療機器用可撓管保持具を提供することができる。
【図面の簡単な説明】
【００２３】
【図１】本考案の実施の形態１における医療機器用可撓管保持具を示す模式斜視図
【図２】本考案の実施の形態１における医療機器用可撓管保持具の使用状態を示す模式斜視図
【図３】本考案の実施の形態２における医療機器用可撓管保持具の使用状態を示す模式斜視図
【考案を実施するための形態】
【００２４】
（実施の形態１）
本考案の実施の形態１における医療機器用可撓管保持具について、以下図面を参照しながら説明する。
図１は本考案の実施の形態１における医療機器用可撓管保持具を示す模式斜視図である。
図１中、１は本考案の実施の形態１における医療機器用可撓管保持具、２は可撓性及び形状保持性を有する金属製のフレキシブルチューブを用いた形状保持部材、３は形状保持部材２の長手方向の４箇所に間隔を空けて配設された帯状の固定部材、３ａは固定部材３の一端側を筒状に形成して形状保持部材２を挿通し又は固定部材３の一端側を形状保持部材２に巻き付けて固定した固定部材３の取付部、４ａは固定部材３の裏面側の先端部に形設された面ファスナーフック面、４ｂは固定部材３の表面側に形設された面ファスナーループ面、５は固定部材３の裏面側に長手方向と平行に柔軟性や弾力性を有するシリコーンなどの合成ゴムを貼着して２本の凸条に形成された滑り防止部である。
【００２５】
以上のように構成された実施の形態１における医療機器用可撓管保持具の使用方法について説明する。
図２は本考案の実施の形態１における医療機器用可撓管保持具の使用状態を示す模式斜視図である。
図２中、１０は口腔内の加湿に用いられる吸入器、１１は吸入器１０から利用者の口元にスチームを噴霧する可撓管である。
図２において、各々の固定部材３が可撓管１１に巻き付けられ、面ファスナーフック面４ａが面ファスナーループ面４ｂに貼り付けられて形状保持部材２と可撓管１１が固定されている。
可撓性及び形状保持性を有する形状保持部材２が可撓管１１に沿って配設されているので、形状保持部材２を屈曲させたり、湾曲させたりして所望の形状に変形させることにより、可撓管１１の先端部（噴霧口）を利用者の口元に簡単に位置合わせして固定することができ、利用者の口腔内に確実にスチームを噴霧して加湿を行うことができる。
【００２６】
形状保持部材２に用いるフレキシブルチューブとしては、薄肉の金属製のパイプに波形の絞り加工をしたものや金属製の薄板をコの字状態で組み合わせた構造で螺旋状に形成した螺旋管（コンジットチューブ）などが好ましいが、これに限定されるものではなく、可撓性及び形状保持性を有していればよい。
本実施の形態では、固定部材３の固定に面ファスナーを用いたが、これに限定されるものではなく、スナップボタンなどを用いてもよい。
尚、固定部材３は形状保持部材２と可撓管１１を固定するだけでなく、ベッドの側部に立設されるベッドガードや点滴スタンドなどの支柱部とも一緒に固定することもできる。
また、固定部材３の数や配置間隔は可撓管１１の長さなどに応じて適宜、選択することができ、形状保持部材２を変形させる際の形状に応じて、固定部材３の位置を移動させ、固定位置を調整することができる。尚、形状保持部材２の先端部に固定部材３の抜けを防止する突起などを設けてもよい。これにより、固定部材３が脱落して形状保持部材２と可撓管１１との固定が外れることがなく、信頼性に優れる。
【００２７】
本実施の形態では、特に負荷のかかり易い可撓管１１の根元を強固に固定するために、形状保持部材２の末端の固定部材３に滑り防止部５を設けたが、滑り防止部５は他の固定部材３にも設けることができる。
尚、本実施の形態では、医療機器用可撓管保持具１を吸入器１０の可撓管１１の固定に用いる場合について説明したが、これに限定されるものではなく、吸引器や呼吸補助器などのように可撓管を用いて気体や液体の供給や吸引などを行う各種の医療機器に用いることができる。
【００２８】
実施の形態１の医療機器用可撓管保持具は以上のように構成されているので、以下の作用を有する。
（１）可撓管に沿って配設される形状保持部材が可撓性及び形状保持性を有するので、可撓管と共に所望の形状に変形させて先端部の位置、角度、向きや経路などを自在に調整することができると共に、その形状を長時間にわたって保持することができ、可撓管の先端部を利用者の口元や喉などの位置に合わせて確実に固定することができ、形状自在性、固定安定性、汎用性、設置自在性に優れる。
（２）形状保持部材と可撓管を着脱自在に固定する固定部材を有するので、可撓管への着脱作業性に優れ、使用前や使用後に可撓管を簡便に取り外して洗浄や交換を行うことができ、メンテナンス性、取扱い性に優れる。
（３）形状保持部材が可撓管に沿って配設されるので、吸入器や吸引器などの医療機器の設置スペース以外にスペースを必要とせず、設置場所が限定されることがなく、コンパクトで省スペース性、設置自在性に優れる。
（４）形状保持部材と固定部材だけの簡素な構成で部品点数が少なく、量産性、低コスト性に優れ、小型、軽量で簡便に持ち運ぶことができ、取扱い性に優れる。
（５）形状保持部材がフレキシブルチューブで形成されていることにより、折れ癖や曲げ癖がつき難いので、所望の形状に変形させ易く、誰でも可撓管の先端部の位置、角度、向きや経路などを容易に微調整することができると共に、長時間にわたって形状を保持することができ、形状復帰性、形状自在性、形状保持性に優れる。
（６）フレキシブルチューブで形成された形状保持部材は突起やエッジ等がなく、可撓管或いはそれを使用する利用者（患者）や看護師などを傷付けることがなく、安全性に優れる。
（７）固定部材が、形状保持部材及び可撓管を束ねるように巻回されて固定されることにより、形状保持部材と可撓管を確実に固定することができ、固定安定性に優れる。
（８）形状保持部材及び可撓管に巻回されて固定される固定部材は、形状自在性を有しているので、ベッドガードや点滴スタンドなどの支柱部などにも可撓管と一緒に巻き付けることができ、被固定物の形状に制約を受けることがなく、簡便かつ確実に固定することができ、形状自在性、汎用性に優れる。
（９）固定部材が、形状保持部材又は可撓管との接触面の少なくとも一部に形成若しくは配設された滑り防止部を有することにより、形状保持部材と可撓管を強固に保持することができ、固定部材が形状保持部材や可撓管の長手方向に沿って移動し難く、固定安定性、形状保持性に優れる。
（１０）固定部材が形状保持部材の長手方向に間隔を空けて複数配設されることにより、形状保持部材と可撓管の要所を固定することができ、可撓管を形状保持部材の形状に沿わせて確実に保持することができ、固定安定性、形状安定性に優れる。
（１１）固定部材が、形状保持部材の長手方向に間隔を空けて複数配設されるので、一部の固定部材を利用して、形状保持部材及び可撓管の長手方向の途中をベッドの側部に立設されるベッドガードや点滴スタンドの支柱などの他の部材に固定することもでき、可撓管が長い場合でも、確実に支持することが可能で、固定安定性、設置自在性、汎用性に優れる。
（１２）固定部材の一端部が形状保持部材に固定されることにより、形状保持部材と固定部材を一体に取り扱うことができ、可撓管との着脱作業が容易で取扱い性に優れる。
【００２９】
（実施の形態２）
本考案の実施の形態２における医療機器用可撓管保持具について、以下図面を参照しながら説明する。
図３は本考案の実施の形態２における医療機器用可撓管保持具の使用状態を示す模式斜視図である。尚、実施の形態１と同様のものには同一の符号を付して説明を省略する。
図３において、実施の形態２における医療機器用可撓管保持具１ａが実施の形態１と異なるのは、形状保持部材２ａとして針金のような金属製の芯材を軟質性の合成樹脂や合成ゴムで被覆した棒状部材を用いている点と、形状保持部材２ａと可撓管１１の根元側の２箇所を固定する固定部材３ｂとして挟持部３ｃが８の字状やダルマ状にくびれた形状を有するクリップを用いている点である。
【００３０】
固定部材３ｂの挟持部３ｃが８の字状或いはダルマ状にくびれた形状を有しているので、可撓管１１を潰すことがなく、固定安定性にも優れる。尚、固定部材３ｂの形状は本実施の形態に限定されるものではなく、形状保持部材２ａと可撓管１１を一緒に挟持できるものであればよい。また、固定部材３ｂと形状保持部材２ａや可撓管１１との接触面に凹凸を設け、滑り防止部を形成することにより、形状保持部材２ａや可撓管１１を確実に保持することができ、固定安定性に優れる。特に、滑り防止部を柔軟性や弾力性を有する部材で形成した場合、可撓管１１を潰したり、傷付けたりすることがなく、信頼性に優れる。
尚、実施の形態２における医療機器用可撓管保持具１ａの使用方法は実施の形態１と同様であるので、説明を省略する。
【００３１】
実施の形態２の医療機器用可撓管保持具は以上のように構成されているので、実施の形態１の（１）乃至（４），（７），（８），（１０）乃至（１２）と同様の作用に加え、以下の作用を有する。
（１）固定部材が、形状保持部材及び可撓管を挟持して固定することにより、ワンタッチで簡便に着脱することができ、着脱作業性に優れる。
（２）固定部材で形状保持部材と可撓管を挟持して固定するので、固定部材の位置を容易に移動させることができ、形状保持部材の形状に応じて最適な位置を確実に保持して可撓管を固定することができ、固定の確実性、形状安定性に優れる。
（３）固定部材として挟持部が８の字状やダルマ状にくびれた形状を有するクリップを用いて可撓管の根元側を短い間隔で強固に固定することにより、可撓管の根元側を自立させて可撓管の倒れを防止することができ、形状保持性、姿勢安定性に優れる
【産業上の利用可能性】
【００３２】
本考案は、簡単な構成で可撓管への着脱が容易で、可撓管と共に所望の形状に変形してその形状を維持することができ、可撓管の先端部の位置、角度、向きや経路などを自在に調整することが可能で、看護師や介護者が付きっきりで世話をする必要がなく、看護師や介護者の拘束時間を短縮してその負担を大幅に軽減できるだけでなく、各種医療機器の使用中に利用者が両手を自由に使用することができ、楽に治療や介護を受けることが可能で、低コスト性、省スペース性、設置自在性、形状自在性、固定安定性、汎用性、省力性、有用性、利便性に優れた医療機器用可撓管保持具の提供により、利用者や看護師の負担軽減に貢献することができる。
【符号の説明】
【００３３】
１，１ａ  医療機器用可撓管保持具
２，２ａ  形状保持部材
３，３ｂ  固定部材
３ａ  取付部
３ｃ  挟持部
４ａ  面ファスナーフック面
４ｂ  面ファスナーループ面
５  滑り防止部
１０  吸入器
１１  可撓管
【図１】
0003161849.tif 000003
【図２】
0003161849.tif 000004
【図３】
0003161849.tif 000005